(57)【特許請求の範囲】
【請求項１】
ドアパネルに固定され、上面が開口したワイヤドラム収納空間を有するワイヤ式ウィンドウレギュレータのワイヤドラム支持部材において、前記ワイヤドラム収納空間の上縁の一側に、内側へ僅かに張り出したドラム抑え片を設け、前記ワイヤドラム収納空間の底面の中心部に、ワイヤドラムの中心軸に沿う孔へ回動自在に、且つ、着脱自在に挿入される短軸を突設すると共に、前記ワイヤドラムの底面を受ける環状の突条を前記短軸と同心状に形成し、前記突条の頂部から前記ドラム抑え片の下面までの距離を前記ワイヤドラムの高さよりも僅かに小さくしてあることを特徴としたワイヤ式ウィンドウレギュレータのワイヤドラム支持部材。
【請求項２】
短軸の上端面の一側に、ドラム抑え片に近づくに従って短軸の高さが低くなるよう傾斜した切欠きを形成してある請求項１に記載されたワイヤ式ウィンドウレギュレータのワイヤドラム支持部材。
【発明の詳細な説明】
【技術分野】
【０００１】
本発明は、ワイヤ式ウィンドウレギュレータのワイヤドラム支持部材に関する。
【背景技術】
【０００２】
ワイヤ式ウィンドウレギュレータは、ウィンドウガラスを支持するブラケットが取り付けられたワイヤをワイヤドラムに巻きつけ、このワイヤドラムをモータで正逆両方向に回転させることにより、ワイヤを摺動させてウィンドウガラスを昇降させるようになっている。
ワイヤドラムは、一般的に、ドアパネルに固定されたワイヤドラム支持部材へ回転自在に組み込まれている。
【０００３】
従来のワイヤドラム支持部材は、ドラム収納空間の底面中心部にワイヤドラムの中心孔へ挿入される支軸を起立して成り、ドラム収納空間にワイヤドラムをはめ込んでその中心孔へ支軸を回動自在に係合し、ワイヤドラムの上方からカバーを被せ、カバーを支軸へ固定していた（特許文献１及び特許文献２参照）。
しかし、ウィンドウレギュレータの組立作業中にはワイヤドラム支持部材を上下自由に動かせるので、カバーを被せるかあるいはモータを取り付けて固定するまではワイヤドラムが落下しやすい。
また、ワイヤドラム支持部材の支軸をワイヤドラムの中心孔へ挿入してからカバーを被せ、ネジ止め等によってカバーを固定するのに手間がかかり、ワイヤドラムの着脱が面倒であるばかりか、部品数が多くてコストも高くつく。
【０００４】
【特許文献１】特開２００２−７０４２１号公報
【特許文献２】特許第３６７９８９５号公報
【発明の開示】
【発明が解決しようとする課題】
【０００５】
本発明が解決しようとする課題は、ウィンドウレギュレータを組み立てる時にワイヤドラムが落下するのを防ぎ、部品数が少なくて構造が簡単であり、ワイヤドラムの着脱が容易なワイヤ式ウィンドウレギュレータのワイヤドラム支持部材を提供することにある。
【課題を解決するための手段】
【０００６】
本発明は、ドアパネルに固定され、上面が開口したワイヤドラム収納空間を有するワイヤ式ウィンドウレギュレータのワイヤドラム支持部材に関し、前記ワイヤドラム収納空間の上縁の一側に、内側へ僅かに張り出したドラム抑え片を設け、前記ワイヤドラム収納空間の底面の中心部に、ワイヤドラムの中心軸に沿う孔へ回動自在に、且つ、着脱自在に挿入される短軸を突設すると共に、前記ワイヤドラムの底面を受ける環状の突条を前記短軸と同心状に形成し、前記突条の頂部から前記ドラム抑え片の下面までの距離を前記ワイヤドラムの高さよりも僅かに小さくしてある。
なお、ここで上面とは、設置時の上下方向にあわせたものではなく、底面に対向した面という意味である。
短軸の上端面の一側に、ドラム抑え片に近づくに従って短軸の高さが低くなるよう傾斜した切欠きを形成すると良い。
【発明の効果】
【０００７】
請求項１に係る発明によれば、ワイヤドラムをドラム収納空間内にはめ込んで、その一側を押すだけで組み付けることができるとともに、他側を押すだけで取り出すことができるので、ネジ止め等の面倒な操作を必要とせずに簡単にワイヤドラムを着脱することが可能である。
また、ワイヤドラムを押さえるためにカバーやネジ等の別部材が不要なので、部品数が少なくて済み、コストを低減できる。
さらに、ワイヤドラムをドラム収納空間に押し込むだけで脱出を規制することができるので、ウィンドウレギュレータの組み立て途中でワイヤドラムが落下する心配がない。
請求項２に係る発明によれば、ドラム抑え片が張り出していないドラム収納空間の開口部他側からワイヤドラムを斜めに落とし込むことができるので、ワイヤドラムのワイヤドラム支持部材に対する挿入作業が容易となる。
【発明を実施するための最良の形態】
【０００８】
以下、本発明の実施例を図面に基づいて詳細に説明する。
ワイヤ式ウィンドウレギュレータは、図１及び図２に示すように、ドアパネルに上下方向に沿って固定され、端部にガイドプーリ１を有するガイドレール２と、ガイドレール２に沿って移動し、ウィンドウガラスを支持するブラケット３と、ブラケット３に結合され、ガイドプーリ１に案内されてガイドレール２に沿って掛け渡されたワイヤ４と、外周面にワイヤ４が巻きつけられたワイヤドラム５と、ドアパネルに固定され、ワイヤドラム５を支持するワイヤドラム支持部材６と、減速部１７を介してワイヤドラム５に連結され、ワイヤドラム５を正逆両方向に回転させるモータ７とを備える。
【０００９】
モータ７を駆動してワイヤドラム５を回転させると、ワイヤドラム５に巻きつけられたワイヤ４がガイドレール２に沿って右回り或いは左回りに移動し、この結果、ワイヤ４に固定されたブラケット３がガイドレール２に沿って上下動し、ウィンドウガラスが昇降するようになっている。
このような基本的な機構、及び、ワイヤドラム支持部材６を除いた部材の構造は従来周知なので、その詳細な説明は省略する。
【００１０】
ワイヤドラム支持部材６は、合成樹脂で一体成形され、図３及び図４に示すように、上面が開口したドラム収納空間８を有し、ドラム収納空間８の周囲にはドアパネルへ固定するための固定孔９が複数形成されている。
ドラム収納空間８は断面円形で、その内径はワイヤドラム５の外径よりやや大きく形成され、ワイヤドラム５がドラム収納空間８内で僅かに傾斜できるようになっている。また、ドラム収納空間８の側面には、ワイヤ４を引き出すための引き出し口１０，１１が形成されている。
【００１１】
ドラム収納空間８の上縁の一側には、内側へ僅かに張り出したドラム抑え片１２が形成されている。
また、ドラム収納空間８の底面中心部には、ワイヤドラム５を回動自在に支持する短軸１３が突設され、短軸１３の周囲には環状の突条１４が短軸１３と同心状に形成されている。
そして、突条１４の頂部からドラム抑え片１２の下面までの距離は、ワイヤドラム５の高さよりも僅かに小さくなっている。
さらに、短軸１３の上端面の一側（ドラム抑え片１２が設けられた側）には、ドラム抑え片１２に近づくに従って短軸１３の高さが低くなるように傾斜した切欠き１６が形成されている。
【００１２】
ワイヤドラム５をドラム収納空間８へ組み込むには、図５に示すように、上面の開口部からドラム収納空間８内へワイヤドラム５を落とし込み、短軸１３をワイヤドラム５の中心軸に沿って形成された孔１５へ挿入する。
この時、短軸１３の上端面には切欠き１６が形成されているので、ワイヤドラム５を邪魔になるドラム抑え片１２が張り出していない他側から、切欠き１６にガイドさせながらドラム収納空間８へ斜めに滑り落とすことができる。
また、単にワイヤドラム５をドラム収納空間８へ落とし込んだだけでは、ドラム収納空間８の底面に形成された突条１４の頂部が、全長に亘ってワイヤドラム５の底面を支持しており、突条１４の頂部からドラム抑え片１２の下面までの距離はワイヤドラム５の高さよりも小さいので、ワイヤドラム５はドラム抑え片１２に係止されずにフリーな状態にある。
【００１３】
次いで、図６に示すように、ワイヤドラム５の一側を押し下げると、ワイヤドラム５の底面の一側周縁がドラム収納空間８の底面に接すると共に、これよりやや内側が突条１４で支持され、他側が突条１４から浮き上がって、ワイヤドラム５が傾斜する。
この結果、弾性変形によってドラム抑え片１２とワイヤドラム５の上面一側がスナップ係合し、ワイヤドラム５がドラム抑え片１２によって抑えられ、ドラム収納空間８からの脱出が規制される。
従って、ドラム収納空間８内に設置したワイヤドラム５がウィンドウレギュレータの組み立て途中で落下することはない。
また、突条１４は、ワイヤドラム５を支持する短軸１３と同心の環状に形成されているので、ワイヤドラム５の底面に引っかかって回転を阻害する心配がない。
【００１４】
部品交換や点検の際に、ワイヤドラム５を取り出す際には、ワイヤドラム５の他側を押し下げると、ドラム抑え片１２とワイヤドラム５との係合が解除され、ワイヤドラム５の底面がドラム収納空間８の底面と平行になって、ワイヤドラム５の上面がドラム抑え片12よりも上方へ脱出する。
なお、ワイヤドラム５及びワイヤドラム支持部材６の構造は図示のものに限定されず、ワイヤドラム支持部材６の外形や固定孔９の数・位置等は適宜変更することができる。
【図面の簡単な説明】
【００１５】
【図１】ワイヤ式ウィンドウレギュレータの正面図。
【図２】ワイヤ式ウィンドウレギュレータの断面図。
【図３】ワイヤドラム支持部材の正面図。
【図４】ワイヤドラム支持部材の断面図。
【図５】ワイヤドラム及びワイヤドラム支持部材の組み立て当初における断面図。
【図６】ワイヤドラム及びワイヤドラム支持部材の組み立て完了時における断面図。
【符号の説明】
【００１６】
１  ガイドプーリ
２  ガイドレール
３  ブラケット
４  ワイヤ
５  ワイヤドラム
６  ワイヤドラム支持部材
７  モータ
８  ドラム収納空間
９  固定孔
１０，１１  引き出し口
１２  ドラム抑え片
１３  短軸
１４  突条
１５  孔
１６  切欠き
１７  減速部
【図１】
0004745074.tif 000002
【図２】
0004745074.tif 000003
【図３】
0004745074.tif 000004
【図４】
0004745074.tif 000005
【図５】
0004745074.tif 000006
【図６】
0004745074.tif 000007